(57)【要約】【課題】被写体にピントが合っているか否かをユーザが容易に確認できる撮像装置を得る。【解決手段】マニュアルフォーカス撮影モードでは、ＣＣＤ１０２は被写体像を常に撮像して画像信号を出力する。そして、ジャイロセンサ１１２等の検出結果が閾値を超える場合、ＤＳＰ１０１は画像信号に含まれる画像のコントラストを強調して強調画像を作成する。そして、モニタ１１０は、強調画像を表示する。ユーザは、モニタ１１０に表示された強調画像を参照しながら合焦環１１７を操作して、撮像レンズ１０４を被写体に合焦させる。そして、ユーザは、レリーズボタン１０７を操作して、被写体を撮像する。他方、ジャイロセンサ１１２、加速度センサ１１３、又は電子コンパス１１４等の検出結果が閾値以下である場合、ＤＳＰ１０１は画像信号に含まれる画像のコントラストを強調せず、コントラストが強調されない通常の画像をモニタ１１０が表示する。【選択図】図１
2015049294.tif 000002
【特許請求の範囲】
【請求項１】
被写体像を撮像して画像信号を出力する撮像素子と、
前記画像信号に含まれる画像を強調する画像強調手段と、
測定対象物の移動を検出する検出部とを備える撮像装置であって、
前記検出部による検出結果に応じて、前記画像強調手段は画像の少なくとも一部を強調するか否かを決定し、
前記検出部は前記撮像装置の移動値を検出し、前記移動値が所定値を超えた場合には、前記画像強調手段はコントラストを強調し、前記移動値が所定値を超えない場合には、前記画像強調手段はコントラストを強調しない撮像装置。
【請求項２】
前記検出部はジャイロセンサ又は加速度センサを備え、
前記ジャイロセンサは、前記撮像装置の移動を検出し、前記撮像装置の角速度を前記移動値として出力し、
前記加速度センサは、前記撮像装置の移動を検出し、前記撮像装置の加速度を前記移動値として出力する請求項１に記載の撮像装置。
【請求項３】
前記検出部は電子コンパスを備え、前記撮像装置の移動を検出し、前記移動値は前記撮像装置の方位角の変化量である請求項１に記載の撮像装置。
【請求項４】
前記検出部は被写体の移動値を検出し、前記移動値が所定値を超えた場合には、前記画像強調手段はコントラストを強調し、前記移動値を検出しない場合には、前記画像強調手段はコントラストを強調しない請求項１に記載の撮像装置。
【請求項５】
前記移動値は被写体の移動速度である請求項４に記載の撮像装置。
【請求項６】
前記所定値を変更可能な設定変更部をさらに備える請求項１から５のいずれかに記載の撮像装置。
【請求項７】
半押し及び全押しが可能なレリーズボタンをさらに備え、前記レリーズボタンが半押しされたとき、前記画像強調手段はコントラストを強調しない請求項１から６のいずれかに記載の撮像装置。
【請求項８】
コントラストを強調した強調画像を表示する表示部をさらに備える請求項１から７のいずれかに記載の撮像装置。
【発明の詳細な説明】
【技術分野】
【０００１】
本発明は、撮像した画像のコントラストを調整する撮像装置に関する。
【背景技術】
【０００２】
マニュアルフォーカスで被写体にピントを合わせることが可能な撮像装置が知られている。このような撮像装置は、被写体にピントが合っているかをユーザが容易に確認できるように、コントラストを強調した画像を表示部に表示する。コントラストを強調した画像は、実際に撮影する画像とは異なり色合いが変わってしまうことがあるため、ユーザがピント合わせを行っていない場合には、コントラストを強調しない画像を表示部に表示する。ユーザがピント合わせを行っていない場合を判断する条件として、ズーミングを行っていない場合や、距離環が回転されていない場合等が挙げられている（特許文献１）。
【先行技術文献】
【特許文献】
【０００３】
【特許文献１】特開２００８−２７８５３８号公報
【発明の概要】
【発明が解決しようとする課題】
【０００４】
しかし、ユーザは、ユーザがピント合わせを行っていない場合であっても、コントラストを強調した画像を参照したいと考えることがある。しかしながら、特許文献１に記載の撮像装置では、前述の条件に合致した場合にはコントラストを強調した画像を参照できず、被写体にピントが合っているか否かをユーザが容易に確認できない。
【０００５】
本発明はこれらの問題に鑑みてなされたものであり、被写体にピントが合っているか否かをユーザが容易に確認できる撮像装置を得ることを目的とする。
【課題を解決するための手段】
【０００６】
本願第１の発明による撮像装置は、被写体像を撮像して画像信号を出力する撮像素子と、画像信号に含まれる画像を強調する画像強調手段と、測定対象物の移動を検出する検出部とを備え、検出部による検出結果に応じて、画像強調手段は画像の少なくとも一部を強調するか否かを決定し、検出部は撮像装置の移動値を検出し、移動値が所定値を超えた場合には、画像強調手段はコントラストを強調し、移動値が所定値を超えない場合には、画像強調手段はコントラストを強調しないことを特徴とする。
【０００７】
検出部はジャイロセンサ又は加速度センサを備え、ジャイロセンサは、撮像装置の移動を検出し、撮像装置の角速度を移動値として出力し、加速度センサは、撮像装置の移動を検出し、撮像装置の加速度を移動値として出力することが好ましい。
【０００８】
検出部は電子コンパスを備え、撮像装置の移動を検出し、移動値は撮像装置の方位角の変化量であることが好ましい。
【０００９】
検出部は被写体の移動値を検出し、移動値が所定値を超えた場合には、画像強調手段はコントラストを強調し、移動値を検出しない場合には、画像強調手段はコントラストを強調しなくてもよい。
【００１０】
移動値は被写体の移動速度であってもよい。
【００１１】
所定値を変更可能な設定変更部をさらに備えることが好ましい。
【００１２】
半押し及び全押しが可能なレリーズボタンをさらに備え、レリーズボタンが半押しされたとき、画像強調手段はコントラストを強調しないことが好ましい。
【００１３】
コントラストを強調した強調画像を表示する表示部をさらに備えてもよい。
【発明の効果】
【００１４】
本発明によれば、被写体にピントが合っているか否かをユーザが容易に確認できる撮像装置を得る。
【図面の簡単な説明】
【００１５】
【図１】本実施形態による撮像装置を概略的に示したブロック図である。
【図２】画像と検出枠とを表示するモニタの画面を示した図である。
【図３】ピーキング判定手段の選択画面を表示するモニタの画面を示した図である。
【図４】閾値を決定する画面を表示するモニタの画面を示した図である。
【図５】ピーキング表示処理を示したフローチャートである。
【図６】ピーキング必要検知処理を示したフローチャートである。
【図７】センサの出力値と閾値と時間閾値との関係を示したグラフである。
【図８】ピーキング必要検知処理を示したフローチャートである。
【図９】ピーキング必要検知処理を示したフローチャートである。
【図１０】ピーキング必要検知処理を示したフローチャートである。
【図１１】ピーキング必要検知処理を示したフローチャートである。
【発明を実施するための形態】
【００１６】
以下、本願発明の一実施形態による撮像装置について図を用いて説明する。図１は、撮像装置の一実施形態であるデジタルカメラ１００を示す。まず、図１を用いてデジタルカメラ１００の構成について説明する。
【００１７】
デジタルカメラ１００は、画像強調手段を成すＤＳＰ１０１と、撮像素子を成すＣＣＤ１０２と、撮像レンズ１０４と、ジャイロセンサ１１２と、加速度センサ１１３と、電子コンパス１１４と、表示部を成すモニタ１１０と、レリーズボタン１０７と、レンズ駆動部１１１とを主に備える。
【００１８】
撮像レンズ１０４は、合焦レンズ１０３と、合焦用エンコーダ１１５と、合焦用モータ１１６と、合焦環１１７と、ズームレンズ１１８と、ズーム用エンコーダ１１９と、ズーム用モータ１２０と、ズーム環１２１とを主に備える。
【００１９】
合焦環１１７は合焦レンズ１０３に取り付けられ、ユーザが合焦環１１７を回転させると、合焦レンズ１０３が撮影レンズの光軸方向に移動する。合焦用モータ１１６は、レンズ駆動部１１１からの信号に応じて、合焦レンズ１０３を撮影レンズの光軸方向に駆動する。合焦レンズ１０３は、撮影レンズの光軸方向に移動することにより、ＣＣＤ１０２に被写体像を結像させる。合焦用エンコーダ１１５は、検出部であって、合焦レンズ１０３の移動を検知し、合焦レンズ１０３の移動量をＤＳＰ１０１に送信する。
【００２０】
ズーム環１２１はズームレンズ１１８に取り付けられ、ユーザがズーム環１２１を回転させると、ズームレンズ１１８が撮影レンズの光軸方向に移動する。ズーム用モータ１２０は、レンズ駆動部１１１からの信号に応じて、ズームレンズ１１８を撮影レンズの光軸方向に駆動する。ズームレンズ１１８は、撮影レンズの光軸方向に移動することにより、撮影レンズの焦点距離を変更する。ズーム用エンコーダ１１９は、検出部であって、ズームレンズ１１８の移動を検知し、ズームレンズ１１８の移動量をＤＳＰ１０１に送信する。
【００２１】
ジャイロセンサ１１２は、デジタルカメラ１００の筐体に取り付けられ、デジタルカメラ１００の角速度を測定し、ＤＳＰ１０１に送信する。加速度センサ１１３は、デジタルカメラ１００の筐体に取り付けられ、デジタルカメラ１００の加速度を測定し、ＤＳＰ１０１に送信する。電子コンパス１１４は、デジタルカメラ１００の筐体に取り付けられ、デジタルカメラ１００の方位角を測定し、ＤＳＰ１０１に送信する。
【００２２】
撮像レンズ１０４とＣＣＤ１０２との間の光路上には、絞り１０５とシャッター幕１０６とが設けられる。絞り１０５は、ＤＳＰ１０１からの信号に基づいて駆動され、ＣＣＤ１０２に入射する光量を調節する。シャッター幕１０６は、ＤＳＰ１０１からの信号に基づいて駆動される。ＣＣＤ１０２は、被写体像を撮像して、画像信号をＤＳＰ１０１に送信する。
【００２３】
ＤＳＰ１０１は、ＣＣＤ１０２から画像信号を受信して、画像信号を処理し、得られた画像をモニタ１１０に表示し、あるいはメモリカード１０９に保存する。
【００２４】
ＤＳＰ１０１は、画像信号に含まれる画像から、特定の被写体を検出する。特定の被写体は、例えば人物、人物の顔、動物、移動する被写体などである。ＤＳＰ１０１は、特定の被写体を検出したとき、被写体の周囲に赤色の検出枠を合成した画像を作成し、モニタ１１０に表示させる（図２参照）。
【００２５】
ＤＳＰ１０１は、ジャイロセンサ１１２、加速度センサ１１３、又は電子コンパス１１４等の検出結果に応じて、画像信号に含まれる画像のコントラストを強調し、コントラスト強調画像を作成する。画像のコントラストを強調してコントラスト強調画像を作成する処理をピーキング処理という。そして、コントラスト強調画像はモニタ１１０に送信され、モニタ１１０はコントラスト強調画像を表示する。
【００２６】
レリーズボタン１０７は、二段動作スイッチである。ユーザがレリーズボタン１０７を半押しすると、撮像レンズ１０４が被写体に合焦し、ＤＳＰ１０１が露出を決定する。ユーザがレリーズボタン１０７を全押しすると、被写体像を撮像して得られた画像が画像ファイルとしてメモリカード１０９に記録される。
【００２７】
デジタルカメラ１００は複数の撮影モードで動作する。撮影モードは、例えば、マニュアルフォーカス撮影モード、オートフォーカス撮影モード、再生モード、及び設定モードを有する。
【００２８】
マニュアルフォーカス撮影モードでは、ＣＣＤ１０２は被写体像を常に撮像して画像信号を出力する。そして、ジャイロセンサ１１２、加速度センサ１１３、又は電子コンパス１１４等の検出結果が閾値を超える場合、ＤＳＰ１０１は画像信号に含まれる画像のコントラストを強調して強調画像を作成する。そして、モニタ１１０は、強調画像を表示する。ユーザは、モニタ１１０に表示された強調画像を参照しながら合焦環１１７を操作して、撮像レンズ１０４を被写体に合焦させる。次にユーザは、レリーズボタン１０７を操作して、被写体を撮像する。撮像された画像はメモリカード１０９に保存される。他方、ジャイロセンサ１１２、加速度センサ１１３、又は電子コンパス１１４等の検出結果が閾値以下である場合、ＤＳＰ１０１は画像信号に含まれる画像のコントラストを強調せず、コントラストが強調されない通常の画像をモニタ１１０が表示する。ユーザは、モニタ１１０に表示された通常の画像を参照しながら構図合わせを行う。
【００２９】
オートフォーカス撮影モードでは、ＣＣＤ１０２は、被写体像を常に撮像して画像信号を出力し、ＤＳＰ１０１は、画像信号に含まれる画像をモニタ１１０に表示すると共に、画像信号に含まれる画像のコントラストを用いて、撮影レンズを被写体に合焦させるに必要な合焦レンズ１０３の駆動量を決定し、駆動量に応じた駆動信号をレンズ駆動部１１１に送信する。レンズ駆動部１１１は、合焦用モータ１１６に信号を送信し、合焦用モータ１１６は合焦レンズ１０３を駆動して、撮影レンズを被写体に合焦させる。ユーザは、モニタ１１０に表示された画像を参照しながらレリーズボタン１０７を操作して、被写体を撮像する。撮像された画像はメモリカード１０９に保存される。
【００３０】
再生モードでは、ＤＳＰ１０１は、メモリカード１０９に記憶されている画像をモニタ１１０に表示する。ユーザは操作ボタン１２２を操作して、任意の画像を参照する。
【００３１】
設定モードでは、モニタ１１０にメニュー画面が表示される。メニュー画面には、デジタルカメラ１００が有する様々な機能のパラメータを設定する各種の項目が表示され、ユーザは操作ボタン１２２を操作して項目を選択し、パラメータを変更する。これにより、デジタルカメラ１００が有する様々な機能のパラメータが変更され、変更されたパラメータに従ってデジタルカメラ１００が動作する。
【００３２】
ジャイロセンサ１１２、加速度センサ１１３、及び電子コンパス１１４のいずれの検出結果を用いるか、及び閾値をどのような値にするかは、ユーザが決定できる。ＤＳＰ１０１、モニタ１１０、及び操作ボタン１２２が設定変更部を成す。
【００３３】
図３は、ジャイロセンサ１１２、加速度センサ１１３、及び電子コンパス１１４等のいずれの検出結果を用いるかを選択する画面を示す。ユーザが操作ボタン１２２を操作して、モニタ１１０にメニュー画面を表示し、メニュー画面から「ピーキング判定手段の選択」を選択すると、図３に示されるピーキング判定手段の選択画面がモニタ１１０に表示される。ピーキング判定手段の選択画面では、「フォーカス駆動で判定」、「ズーム駆動で判定」、「絞り駆動で判定」、「カメラ移動（ジャイロセンサ）で判定」、「カメラ移動（加速度センサ）で判定」、「カメラ移動（電子コンパス）で判定」、「特定被写体検知で判定」、「特定被写体移動で判定」、「エッジ分布の変化で判定」、及び「レリーズボタンで判定」といった判定項目が表示される。ユーザは操作ボタン１２２を操作して、これらのうちから所望の項目を選択し、あるいは選択を解除する。
【００３４】
「フォーカス駆動で判定」をユーザが選択した場合、ＤＳＰ１０１は、合焦レンズ１０３が移動したときの移動量が閾値を超えたときに、ピーキング処理を行い、移動量が閾値以下となってから時間閾値を経過したときに、ピーキング処理を中止する。「ズーム駆動で判定」をユーザが選択した場合、ＤＳＰ１０１は、ズームレンズ１１８が移動したときの移動量が閾値を超えたときに、ピーキング処理を行い、移動量が閾値以下となってから時間閾値を経過したときに、ピーキング処理を中止する。「絞り駆動で判定」をユーザが選択した場合、ＤＳＰ１０１は、絞り１０５が駆動されたときに、ピーキング処理を行い、絞り１０５が停止してから時間閾値を経過したときに、ピーキング処理を中止する。「カメラ移動（ジャイロセンサ）で判定」をユーザが選択した場合、ＤＳＰ１０１は、ジャイロセンサ１１２が検出した角速度が閾値を超えたときに、ピーキング処理を行い、角速度が閾値以下となってから時間閾値を経過したときに、ピーキング処理を中止する。「カメラ移動（加速度センサ）で判定」をユーザが選択した場合、ＤＳＰ１０１は、加速度センサ１１３が検出した加速度が閾値を超えたときに、ピーキング処理を行い、加速度が閾値以下となってから時間閾値を経過したときに、ピーキング処理を中止する。「カメラ移動（電子コンパス）で判定」をユーザが選択した場合、ＤＳＰ１０１は、電子コンパス１１４の方位角の変化量が閾値を超えたときに、ピーキング処理を行い、変化量が閾値以下となってから時間閾値を経過したときに、ピーキング処理を中止する。「特定被写体検知で判定」をユーザが選択した場合、ＤＳＰ１０１は、特定の被写体を検出したときに、ピーキング処理を行い、検出できなくなってから時間閾値を経過したときに、ピーキング処理を中止する。「特定被写体移動で判定」をユーザが選択した場合、ＤＳＰ１０１は、検出した被写体の移動速度が閾値を超えたときに、ピーキング処理を行い、移動速度が閾値以下、あるいは被写体を検出できなくなってから時間閾値を経過したときに、ピーキング処理を中止する。「エッジ分布の変化で判定」をユーザが選択した場合、ＤＳＰ１０１は、被写体像のエッジの分布が閾値以上変化しているときに、ピーキング処理を行い、エッジの分布が変化しなくなってから時間閾値を経過したときに、ピーキング処理を中止する。「レリーズボタンで判定」をユーザが選択した場合、ＤＳＰ１０１は、レリーズボタン１０７が半押しされたときに、ピーキング処理を中止する。これにより、ＤＳＰ１０１は画像信号に含まれる画像のコントラストを強調せず、コントラストが強調されない通常の画像がモニタ１１０に表示される。
【００３５】
図４は、閾値を決定する画面を示す。この画面では、時間閾値と閾値とを決定する。ユーザが操作ボタン１２２を操作して、モニタ１１０にメニュー画面を表示し、メニュー画面から「閾値の設定」を選択すると、図４に示される閾値の設定画面がモニタ１１０に表示される。閾値の設定画面では、「フォーカス駆動で判定」、「ズーム駆動で判定」、「絞り駆動で判定」、「カメラ移動（ジャイロセンサ）で判定」、「カメラ移動（加速度センサ）で判定」、「カメラ移動（電子コンパス）で判定」、「特定被写体検知で判定」、「特定被写体移動で判定」、「エッジ分布の変化で判定」、及び「レリーズボタンで判定」といった判定項目が表示される。ユーザは、これら全ての判定項目において時間閾値を選択できる。時間閾値は、ピーキング処理の中止を決定するために用いられるパラメータであって、各判定項目における移動量等が閾値を下回ってから時間閾値を経過したときに、ピーキング処理が中止される。「カメラ移動（ジャイロセンサ）で判定」、「カメラ移動（加速度センサ）で判定」、「カメラ移動（電子コンパス）で判定」、「特定被写体移動で判定」、及び「エッジ分布の変化で判定」という判定項目では、ユーザは「高」及び「低」から閾値を選択できる。「高」が選択されたときの閾値は、「低」が選択されたときの閾値よりも大きい。
【００３６】
次に図５を用いて、ピーキング表示処理について説明する。ピーキング表示処理は、デジタルカメラ１００がマニュアルフォーカス撮影モードにあるときに、ＤＳＰ１０１によって実行される処理である。
【００３７】
まず、始めのステップＳ５１では、ＣＣＤ１０２は被写体像を常に撮像して画像信号を出力し、ＤＳＰ１０１は画像信号に所定の処理を施して表示画像を作成し、モニタ１１０は表示画像を表示する。この時点では、ＤＳＰ１０１は画像信号に含まれる画像のコントラストを強調しておらず、コントラストが強調されない通常の画像をモニタ１１０が表示している。
【００３８】
次のステップＳ５２では、ピーキング必要検知処理を実行する。ピーキング必要検知処理は、ＤＳＰ１０１により実行され、ピーキング処理を実行すべきか否かを決定する処理である。ピーキング処理を実行すべき場合には、「ピーキング状態」というパラメータが「必要」に設定され、ピーキング処理を実行すべきでない場合には、パラメータ「ピーキング状態」が「不要」に設定される。ピーキング必要検知処理については後述される。
【００３９】
次のステップＳ５３では、パラメータ「ピーキング状態」が「必要」あるいは「不要」のいずれであるかを判断する。パラメータ「ピーキング状態」が「必要」である場合、処理はステップＳ５４に進み、「不要」である場合、処理はステップＳ５６に進む。
【００４０】
ステップＳ５４では、通常の画像をモニタ１１０が表示しているか否かを判断する。モニタ１１０が通常の画像を表示している場合には、処理はステップＳ５５に進む。
【００４１】
ステップＳ５５では、ＤＳＰ１０１は画像信号に含まれる画像のコントラストを強調して強調画像を作成し、モニタ１１０は、強調画像を表示する。これにより、ユーザは、モニタ１１０に表示された強調画像を参照しながら合焦環１１７の操作や撮影距離の調整を行って、撮像レンズ１０４を被写体に容易に合焦させることができる。そして、処理はステップＳ５２に戻る。
【００４２】
ステップＳ５４においてモニタ１１０が通常の画像を表示していない場合とは、モニタ１１０が強調画像を表示していることを意味する。そこでモニタ１１０に強調画像を表示させながら、処理はステップＳ５２に戻る。
【００４３】
他方、ステップＳ５６では、強調画像をモニタ１１０が表示しているか否かを判断する。モニタ１１０が強調画像を表示している場合には、処理はステップＳ５７に進む。
【００４４】
ステップＳ５７では、ＤＳＰ１０１は強調画像を作成せず、モニタ１１０は、通常の画像を表示する。これにより、ユーザは、実際に撮影する画像を確認できる。そして、処理はステップＳ５２に戻る。
【００４５】
ステップＳ５６においてモニタ１１０が強調画像を表示していない場合とは、モニタ１１０が通常の画像を表示していることを意味する。そこでモニタ１１０に通常の画像を表示させながら、処理はステップＳ５２に戻る。
【００４６】
次に図６及び７を用いて、ピーキング必要検知処理について説明する。ピーキング必要検知処理は、ピーキング表示処理のステップＳ５２において、ＤＳＰ１０１によって定期的に反復実行される処理である。なお、ピーキング必要検知処理は、ジャイロセンサ１１２、加速度センサ１１３、又は電子コンパス１１４等を用いて実行可能であるが、ここではジャイロセンサ１１２を使用するものとして以下に説明する。
【００４７】
始めのステップＳ６１では、ジャイロセンサ１１２が出力した角速度が閾値Ｔ２を超えたか否かを判断する。角速度が閾値Ｔ２を超えた場合、処理はステップＳ６２に進み、角速度が閾値Ｔ２を超えていない場合、処理はステップＳ６５に進む。
【００４８】
ステップＳ６２では、「カメラ状態」というパラメータを「駆動」に設定する。そして、次のステップＳ６３では、パラメータ「ピーキング状態」が「不要」に設定されているか否かを判断する。パラメータ「ピーキング状態」が「不要」に設定されている場合、処理はステップＳ６４に進み、パラメータ「ピーキング状態」が「不要」に設定されていない場合、処理は終了する。
【００４９】
ステップＳ６４では、パラメータ「ピーキング状態」を「必要」に設定し、処理を終了する。これにより、ジャイロセンサ１１２が出力した角速度が閾値Ｔ２を超えたときに、ピーキング処理が実行されることになる。
【００５０】
他方、ステップＳ６１において角速度が閾値Ｔ２を超えていない場合、ステップＳ６５において、パラメータ「カメラ状態」が「駆動」に設定されているか否かを判断する。パラメータ「カメラ状態」が「駆動」に設定されている場合、処理はステップＳ６６に進み、パラメータ「カメラ状態」が「駆動」に設定されていない場合、処理はステップＳ６８に進む。
【００５１】
ステップＳ６６では、パラメータ「カメラ状態」を「停止」に設定する。そして、次のステップＳ６７において、タイマを初期化し、タイマが初期値からカウントを開始した後、処理を終了する。これにより、ジャイロセンサ１１２が出力した角速度が閾値Ｔ２以下となったときに、タイマが初期化されて時間測定を開始する。
【００５２】
他方、ステップＳ６５において、パラメータ「カメラ状態」が「駆動」に設定されていない場合、ステップＳ６８において、パラメータ「ピーキング状態」が「必要」に設定されているか、かつタイマが測定している時間が時間閾値Ｔ１よりも長いか否かを判断する。パラメータ「ピーキング状態」が「必要」に設定され、かつタイマが測定している時間が時間閾値Ｔ１よりも長い場合、処理はステップＳ６９に進み、そうでない場合、処理は終了する。
【００５３】
ステップＳ６９では、パラメータ「ピーキング状態」を「不要」に設定し、処理を終了する。
【００５４】
図７に示すジャイロセンサ１１２の出力値の一例にピーキング必要検知処理を適用した場合について説明する。ジャイロセンサ１１２が出力を開始した時が、図７に示すグラフの０秒に対応する。
【００５５】
図７では、ジャイロセンサ１１２が出力を開始してから約９秒後に、ジャイロセンサ１１２が出力した角速度が閾値Ｔ２を超える。このとき、ステップＳ６１において処理はステップＳ６２−Ｓ６４に進み、ステップＳ６２−Ｓ６４を経ることにより、パラメータ「カメラ状態」が「駆動」に設定され、パラメータ「ピーキング状態」が「必要」に設定される。その後、ジャイロセンサ１１２が出力を開始してから約９．５秒後に角速度が閾値Ｔ２を下回ると、再度実行されたピーキング必要検知処理のステップＳ６１において処理はステップＳ６５に進む。ここで、パラメータ「カメラ状態」が「駆動」に設定されているため、処理はステップＳ６５からステップＳ６６及びＳ６７に進み、パラメータ「カメラ状態」が「停止」に設定され、タイマが初期化され、０からカウントを開始する。
【００５６】
その後、ジャイロセンサ１１２が出力を開始してから約１０秒後にピーキング必要検知処理が再度実行されると、未だ角速度が閾値Ｔ２を下回っているため、ステップＳ６１において処理はステップＳ６５に進む。そして、パラメータ「カメラ状態」が「停止」に設定されているため、処理はステップＳ６８及びＳ６９を実行する。この時点では、パラメータ「ピーキング状態」が「必要」に設定されているが、タイマが測定している時間は未だ０．５秒であって図７に示す時間閾値Ｔ１よりも短い。そこで、ステップＳ６８では、ステップＳ６９を実行せずに処理を終了する。この処理を数回反復すると、タイマが測定している時間が時間閾値Ｔ１を超える。そこで、ステップＳ６８において処理をステップＳ６９に進め、ステップＳ６９において、パラメータ「ピーキング状態」を「不要」に設定し、処理を終了する。パラメータ「ピーキング状態」が「不要」に設定されている場合、ピーキング表示処理のステップＳ５３を経て、処理はステップＳ５６及びＳ５７に進み、ＤＳＰ１０１は強調画像を作成せず、モニタ１１０は、通常の画像を表示することになる。
【００５７】
これにより、ジャイロセンサ１１２が出力した角速度が閾値Ｔ２以下となってから、時間閾値Ｔ１を超えたときに、ピーキング処理が中止され、通常の画像がモニタ１１０に表示される。
【００５８】
次に図８を用いて、被写体の移動速度を用いたピーキング必要検知処理について説明する。ピーキング必要検知処理は、ピーキング表示処理のステップＳ５２において、ＤＳＰ１０１によって実行される処理である。
【００５９】
始めのステップＳ８１では、ＤＳＰ１０１が算出した被写体の移動速度が閾値Ｔ４を超えたか否かを判断する。移動速度が閾値Ｔ４を超えた場合、処理はステップＳ８２に進み、移動速度が閾値Ｔ２を超えていない場合、処理はステップＳ８５に進む。
【００６０】
ステップＳ８２では、「被写体状態」というパラメータを「移動」に設定する。そして、次のステップＳ８３では、パラメータ「ピーキング状態」が「不要」に設定されているか否かを判断する。パラメータ「ピーキング状態」が「不要」に設定されている場合、処理はステップＳ８４に進み、パラメータ「ピーキング状態」が「不要」に設定されていない場合、処理は終了する。
【００６１】
ステップＳ８４では、パラメータ「ピーキング状態」を「必要」に設定し、処理を終了する。これにより、被写体の移動速度が閾値Ｔ４を超えたときに、ピーキング処理が実行されることになる。
【００６２】
他方、ステップＳ８１において移動速度が閾値Ｔ４を超えていない場合、ステップＳ８５において、パラメータ「被写体状態」が「移動」に設定されているか否かを判断する。パラメータ「被写体状態」が「移動」に設定されている場合、処理はステップＳ８６に進み、パラメータ「被写体状態」が「移動」に設定されていない場合、処理はステップＳ８８に進む。
【００６３】
ステップＳ８６では、パラメータ「被写体状態」を「停止」に設定する。そして、次のステップＳ８７において、タイマを初期化し、処理を終了する。これにより、ＤＳＰ１０１が算出した被写体の移動速度が閾値Ｔ４以下となったときに、タイマが初期化されて時間測定を開始する。
【００６４】
他方、ステップＳ８５において、パラメータ「被写体状態」が「移動」に設定されていない場合、ステップＳ８８において、パラメータ「ピーキング状態」が「必要」に設定されているか、かつタイマが測定している時間が時間閾値Ｔ１よりも長いか否かを判断する。パラメータ「ピーキング状態」が「必要」に設定され、かつタイマが測定している時間が時間閾値Ｔ１よりも長い場合、処理はステップＳ８９に進み、そうでない場合、処理は終了する。
【００６５】
ステップＳ８９では、パラメータ「ピーキング状態」を「不要」に設定し、処理を終了する。これにより、ＤＳＰ１０１が算出した被写体の移動速度が閾値Ｔ４以下となってから、時間閾値Ｔ１を超えたときに、ピーキング処理が中止され、通常の画像がモニタ１１０に表示される。
【００６６】
次に図９を用いて、特定被写体を用いたピーキング必要検知処理について説明する。ピーキング必要検知処理は、ピーキング表示処理のステップＳ５２において、ＤＳＰ１０１によって実行される処理である。
【００６７】
始めのステップＳ９１では、ＤＳＰ１０１が特定被写体を検出したか否かを判断する。特定被写体を検出した場合、処理はステップＳ９２に進み、特定被写体を検出していない場合、処理はステップＳ９５に進む。
【００６８】
ステップＳ９２では、「検出状態」というパラメータを「検出」に設定する。そして、次のステップＳ９３では、パラメータ「ピーキング状態」が「不要」に設定されているか否かを判断する。パラメータ「ピーキング状態」が「不要」に設定されている場合、処理はステップＳ９４に進み、パラメータ「ピーキング状態」が「不要」に設定されていない場合、処理は終了する。
【００６９】
ステップＳ９４では、パラメータ「ピーキング状態」を「必要」に設定し、処理を終了する。これにより、特定被写体を検出したときに、ピーキング処理が実行されることになる。
【００７０】
他方、ステップＳ９１において特定被写体を検出していない場合、ステップＳ９５において、パラメータ「検出状態」が「検出」に設定されているか否かを判断する。パラメータ「検出状態」が「検出」に設定されている場合、処理はステップＳ９６に進み、パラメータ「検出状態」が「検出」に設定されていない場合、処理はステップＳ９８に進む。
【００７１】
ステップＳ９６では、パラメータ「検出状態」を「未検出」に設定する。そして、次のステップＳ９７において、タイマを初期化し、処理を終了する。これにより、ＤＳＰ１０１が特定被写体を検出しなくなったときに、タイマが初期化されて時間測定を開始する。
【００７２】
他方、ステップＳ９５において、パラメータ「検出状態」が「検出」に設定されていない場合、ステップＳ９８において、パラメータ「ピーキング状態」が「必要」に設定されているか、かつタイマが測定している時間が時間閾値Ｔ１よりも長いか否かを判断する。パラメータ「ピーキング状態」が「必要」に設定され、かつタイマが測定している時間が時間閾値Ｔ１よりも長い場合、処理はステップＳ９９に進み、そうでない場合、処理は終了する。
【００７３】
ステップＳ９９では、パラメータ「ピーキング状態」を「不要」に設定し、処理を終了する。これにより、ＤＳＰ１０１が特定被写体を検出しなくなってから、時間閾値Ｔ１を超えたときに、ピーキング処理が中止され、通常の画像がモニタ１１０に表示される。
【００７４】
次に図１０を用いて、レリーズボタン１０７を用いたピーキング必要検知処理について説明する。ピーキング必要検知処理は、ピーキング表示処理のステップＳ５２において、ＤＳＰ１０１によって実行される処理である。
【００７５】
始めのステップＳ１００１では、レリーズボタン１０７が半押しされているか否かを判断する。レリーズボタン１０７が半押しされている場合、処理はステップＳ１００２に進み、半押しされていない場合、処理は終了する。
【００７６】
ステップＳ１００２では、パラメータ「ピーキング状態」を「不要」に設定し、処理を終了する。これにより、レリーズボタン１０７が半押しされたときに、ピーキング処理が終了することになる。
【００７７】
次に図１１を用いて、エッジ分布の変化を用いたピーキング必要検知処理について説明する。ピーキング必要検知処理は、ピーキング表示処理のステップＳ５２において、ＤＳＰ１０１によって実行される処理である。
【００７８】
始めのステップＳ１１０１では、ＤＳＰ１０１が算出したエッジ分布の変化量が閾値Ｔ５を超えたか否かを判断する。エッジ分布の変化量が閾値Ｔ５を超えた場合、処理はステップＳ１１０２に進み、変化量が閾値Ｔ５を超えていない場合、処理はステップＳ１１０５に進む。
【００７９】
ステップＳ１１０２では、「被写体状態」というパラメータを「移動」に設定する。そして、次のステップＳ１１０３では、パラメータ「ピーキング状態」が「不要」に設定されているか否かを判断する。パラメータ「ピーキング状態」が「不要」に設定されている場合、処理はステップＳ１１０４に進み、パラメータ「ピーキング状態」が「不要」に設定されていない場合、処理は終了する。
【００８０】
ステップＳ１１０４では、パラメータ「ピーキング状態」を「必要」に設定し、処理を終了する。これにより、エッジ分布の変化量が閾値Ｔ５を超えたときに、ピーキング処理が実行されることになる。
【００８１】
他方、ステップＳ１１０１においてエッジ分布の変化量が閾値Ｔ５を超えていない場合、ステップＳ１１０５において、パラメータ「被写体状態」が「移動」に設定されているか否かを判断する。パラメータ「被写体状態」が「移動」に設定されている場合、処理はステップＳ１１０６に進み、パラメータ「被写体状態」が「移動」に設定されていない場合、処理はステップＳ１１０８に進む。
【００８２】
ステップＳ１１０６では、パラメータ「被写体状態」を「停止」に設定する。そして、次のステップＳ１１０７において、タイマを初期化し、処理を終了する。これにより、エッジ分布の変化量が閾値Ｔ５以下となったときに、タイマが初期化されて時間測定を開始する。
【００８３】
他方、ステップＳ１１０５において、パラメータ「被写体状態」が「移動」に設定されていない場合、ステップＳ１１０８において、パラメータ「ピーキング状態」が「必要」に設定されているか、かつタイマが測定している時間が時間閾値Ｔ１よりも長いか否かを判断する。パラメータ「ピーキング状態」が「必要」に設定され、かつタイマが測定している時間が時間閾値Ｔ１よりも長い場合、処理はステップＳ１１０９に進み、そうでない場合、処理は終了する。
【００８４】
ステップＳ１１０９では、パラメータ「ピーキング状態」を「不要」に設定し、処理を終了する。これにより、エッジ分布の変化量が閾値Ｔ５以下となってから、時間閾値Ｔ１を超えたときに、ピーキング処理が中止され、通常の画像がモニタ１１０に表示される。
【００８５】
本実施形態によれば、適切な時機にコントラストを強調した強調画像をモニタに表示するため、被写体にピントが合っているか否かを適切な時機にユーザが容易に確認できる。また、適切な時機にコントラストを強調しない通常の画像をモニタに表示するため、実際に撮影される画像を適切な時機にユーザが容易に確認できる。
【００８６】
ユーザがピントを合わせたい場合には撮像装置がピーキング処理を自動的に実行し、ユーザが構図合わせを行いたい場合には撮像装置がピーキング処理を実行しない。すなわち、強調画像と通常の画像との切り替えを撮像装置が行うため、ユーザは画像を手動で切り替える必要がなくなり、撮影に専念することができる。
【００８７】
また、判定項目、閾値、及び時間閾値をユーザが選択できるため、ユーザ１人１人の使用手順や好みに合わせて、強調画像をモニタに表示、あるいは通常の画像をモニタに表示できる。
【００８８】
オートフォーカス撮影モードにおいて、ピーキング表示処理、ピーキング必要検知処理を行ってもよい。
【００８９】
ピーキング処理では、画像において測距枠又は検出枠に囲まれた部分、あるいは画像に含まれる特定の被写体像等、画像の一部におけるコントラストが強調されても良い。ここで、測距枠とは、デジタルカメラのファインダ又はモニタに表示される枠であって、合焦レンズを合焦させる範囲を示す枠である。
【００９０】
また、ピーキング処理においてコントラストが強調される程度は、被写体に合焦レンズが合焦している程度に応じて連続的又は段階的に変更されても良い。
【００９１】
なお、全ての実施形態において、レリーズボタン１０７が半押しされたときに、ピーキング処理を中止してもよい。
【００９２】
なお、いずれの実施形態においても。デジタルカメラ１００は、いわゆるコンパクトカメラ、一眼レフカメラ、ミラーレス一眼カメラのいずれかであってもよい。
【００９３】
ＣＣＤ１０２の代わりに、ＣＭＯＳ（相補型金属酸化物半導体）撮像素子等の固体撮像素子を用いてもよい。
【符号の説明】
【００９４】
１００  デジタルカメラ
１０１  ＤＳＰ
１０２  ＣＣＤ
１０３  合焦レンズ
１０４  撮像レンズ
１０６  シャッター幕
１０７  レリーズボタン
１０９  メモリカード
１１０  モニタ
１１１  レンズ駆動部
１１２  ジャイロセンサ
１１３  加速度センサ
１１４  電子コンパス
１１５  合焦用エンコーダ
１１６  合焦用モータ
１１７  合焦環
１１８  ズームレンズ
１１９  ズーム用エンコーダ
１２０  ズーム用モータ
１２１  ズーム環
１２２  操作ボタン
【図１】
2015049294.tif 000003
【図２】
2015049294.tif 000004
【図３】
2015049294.tif 000005
【図４】
2015049294.tif 000006
【図５】
2015049294.tif 000007
【図６】
2015049294.tif 000008
【図７】
2015049294.tif 000009
【図８】
2015049294.tif 000010
【図９】
2015049294.tif 000011
【図１０】
2015049294.tif 000012
【図１１】
2015049294.tif 000013